(57)【要約】【課題】   フック式持ち手で、比較的簡単に、梱包箱に掛けられた紐や樹脂バンド（ＰＰバンド）等に差し込みも容易であり、持ち手がずれないで固定が可能で、また、並列締結による複数個の使用により、保持力が向上出来るフック式持ち手を提供することを目的とする。    【解決手段】  握り部２の左右両端部から下向き方向に吊り下げ部３a、３aを形成し、該吊り下げ部３a、３aより少し離間した位置で、紐保持部４a,４aの両側面部より厚みを有した紐差込部５a、５aを備え、該紐差込部５a、５aの先端部は、紐及び、樹脂バンド（ＰＰバンド）等に差し込みが容易になるように両面傾斜形状になっており、また、運搬中にフック式持ち手１がずれて、該フック式持ち手１が不安定にならないように、複数個の並列連結が可能となるように構成している。【選択図】  図４
2005160900.tif 000002
【特許請求の範囲】
【請求項１】
握り部２の左右両端部から下向き方向に吊り下げ部３a、３aを形成し、該吊り下げ部３a、３aの端部から水平に紐保持部４a,４aが張り出し、吊り下げ部３a、３aより少し離間した位置で、紐保持部４a,４aの両側面部より厚みを有した紐差込部５a、５aを備えたフック式持ち手１で、該紐差込部５a、５aの先端部は、紐及び、樹脂バンド（ＰＰバンド）等に差し込みが容易となる両面傾斜形状で、差し込み後は、紐保持部４a,４aと紐差込部５a、５aの段差による抜け止め作用で、紐等は、紐保持部４a,４aに保持されるように構成したことを特徴とするフック式持ち手。
【請求項２】
フック式持ち手１が運搬中にずれて、該フック式持ち手１が不安定にならないように、紐差込部５a、５aの上端の片側端部に、紐係止爪６a、６aを形成させて、該紐係止爪６a、６aが紐及び、樹脂バンド（ＰＰバンド）等を挟み込んで固定されて保持されるように構成したことを特徴とする請求項１記載のフック式持ち手。
【請求項３】
フック式持ち手１で、該フック式持ち手１を複数個にて使用する場合に、フック式持ち手１を並列に連結させる為に、吊り下げ部３a、３aの平面部に嵌合用凹凸の複数個の凹部７a、７aを設けて、反対側面の対象位置に凸部７b、７bを配置し、連結嵌合により安定性を向上させるように構成したことを特徴とする請求項１、２記載のフック式持ち手。
【発明の詳細な説明】
【技術分野】
【０００１】
本発明は、梱包箱や小荷物等の運搬用に掛けられた紐や樹脂バンド（ＰＰバンド）等に取り付けて，持ちやすくするフック式持ち手に関する。
【背景技術】
【０００２】
従来の、樹脂製持ち手は、射出成形により、握り部、吊り下げ部、紐保持部、紐差込部の一体型形状で成形されていることが多い。
【０００３】
しかし、これらは、比較的安価での製作がされる必要がある為、金型構造も簡素で成形加工を容易にするためであった。そして、これらの樹脂持ち手としては、従来から販売店での、持ち帰り梱包品の紐掛けや樹脂バンドで掛けられた比較的軽量の荷物の運搬用持ち手として、また、販売店の荷造り用資材関係の以外でもスーパーやコンビニエンスストアーでの持ち帰り用ポリ袋の持ち手の部分に引っ掛けて使用出来る形状の持ち手が圧倒的に多い。最近では、持ち手の握り部に半円筒形をした、握り易い形状や持ち手を上下に積み重ねることが出来る持ち手もある。（例えば、特許文献１参照。）、また、円筒形の長辺方向にスリット溝を形成し、該スリット溝にポリ袋を装着するとポリ袋が外れにくく、握り易さに配慮した持ち手もある。
【特許文献１】特開２００２−１２８１７８号公報（第２−１頁、第１図）
【特許文献２】特開平２００３−０９５２８３号公報（第２−１頁、第１図）
【発明の開示】
【発明が解決しようとする課題】
【０００４】
解決しようとする問題点は、従来の持ち手などは梱包箱に掛けられた紐や樹脂バンド（ＰＰバンド）等に引っ掛けて使用する場合に、紐差込部の片側の差し込みは容易であるが片方の紐差込部がなかなか差し込みが出来なかったり、持ち手の固定等が出来なかったり、複数個での使用時の使い勝手に工夫が必要にもなっていた。そこで、本発明は、フック式持ち手で、比較的簡単に、梱包箱に掛けられた紐や樹脂バンド（ＰＰバンド）等に差し込みも容易であり、持ち手がずれないで固定が可能で、また、並列連結による複数個の使用により、保持力が向上出来るフック式持ち手を提供することを目的とする。
【課題を解決するための手段】
【０００５】
本発明は、上述の目的を達成するために、本発明に係るフック式持ち手１は、握り部２の左右両端部から下向き方向に吊り下げ部３a、３aを形成し、該吊り下げ部３a、３aの端部から水平に紐保持部４a,４aが張り出し、吊り下げ部３a、３aより少し離間した位置で、紐保持部４a,４aの両側面部より厚みを有した紐差込部５a、５aを備え、該紐差込部５a、５aの先端部は、紐及び、樹脂バンド（ＰＰバンド）等に差し込みが容易になるように両面傾斜形状になっており、差し込み後は、紐保持部４a,４aと紐差込部５a、５aの段差の抜け止め効果により、紐等は、紐保持部４a,４aに保持されるように構成し、運搬中にフック式持ち手１がずれて、該フック式持ち手１が不安定にならないように、紐差込部５a、５aの上端の片側端部に、紐係止爪６a、６aを形成させて、該紐係止爪６a、６aが紐及び、樹脂バンド（ＰＰバンド）等を挟み込んで固定されて保持される。また、該フック式持ち手１を複数個にて使用する場合に、フック式持ち手１を並列に連結させる為に、握り部２の左右両端部から下向き方向に吊り下げ部３a、３aの平面部に嵌合用凹凸の複数個の凹部７a、７aを設けて、反対側面の対象位置に凸部７b、７bを配置し、連結嵌合により安定性を向上させるように構成したものである。
【発明の効果】
【０００６】
本発明のフック式持ち手は、両面傾斜形状の先端部が、紐及び、樹脂バンド（ＰＰバンド）等に差し込みが容易になるように形成されており、片方の差し込み後は、紐保持部４a,４aと紐差込部５a、５aの段差の抜け止め効果により、紐等は、紐保持部４a,４aに保持されている為、他方の紐差込部５a、５aも紐及び、樹脂バンド（ＰＰバンド）等に差し込みが容易になり、左右の紐保持部４a,４aに確実に保持される。また、紐差込部５a、５aの上端の片側端部に、形成させた紐係止爪６a、６aが紐及び、樹脂バンド（ＰＰバンド）等を挟み込んで固定されて保持される為、運搬時のフック式持ち手１の安定性が高いものとなる。さらに、フック式持ち手１を複数個にて並列に連結して使用することにより、運搬物の加重負荷にも耐えることが可能となり、また、握り部２の握り安定性等の付加効果がある。
【発明を実施するための最良の形態】
【０００７】
比較的安価での製作が必要とされるため、樹脂製持ち手の金型構造も可能な限り、簡素で成形加工を容易にするため、射出成形により、握り部、吊り下げ部、紐保持部、紐差込部の一体型で成形が可能な形状とする。
【実施例１】
【０００８】
図１と、図２に、本発明に係るフック式持ち手の一形態を示し、フック式持ち手１は、握り部２と、吊り下げ部３a、３a、紐保持部４a,４aと、紐差込部５a、５aを備えている。なお、フック式持ち手は、持ち帰り梱包品の紐掛けや樹脂バンド（ＰＰバンド）等で掛けられた比較的軽量の荷物の運搬用持ち手として使用するものである。また、フック式持ち手１の吊り下げ部３a、３aより少し離間した位置で、紐保持部４a,４aの両側面部より厚みを有した紐差込部５a、５aを備え、該紐差込部５a、５aの先端部は、紐及び、樹脂バンド（ＰＰバンド）等に差し込みが容易になるように両面傾斜形状（図３、図４参照）になっており、差し込み後は、紐保持部４a,４aと紐差込部５a、５aの段差の抜け止め効果（図３参照）により、紐等は、紐保持部４a,４aに保持されるように形成されている。
【実施例２】
【０００９】
図５と、図６、図７に、本発明の別の実施の形態を示し、また、フック式持ち手１がずれて、該フック式持ち手１が不安定にならないように、紐差込部５a、５aの上端の片側端部に、紐係止爪６a、６a（図５参照）を形成させて、該紐係止爪６a、６aが紐及び、樹脂バンド（ＰＰバンド）等を挟み込んで固定されて保持されるように構成されている。
【実施例３】
【００１０】
フック式持ち手１を複数個にて使用する場合に、フック式持ち手１を並列に連結させる為に、吊り下げ部３a、３aの平面部に嵌合用凹凸（図８参照）の複数個の凹部７a、７aを設けて、反対側面の対象位置に凸部７b、７bを配置し、連結嵌合（図９、図１０参照）により安定性を向上させるように構成されている。
【実施例４】
【００１１】
フック式持ち手１で、握り部２の左右両端部から下向き方向に吊り下げ部３a、３aを形成し、該吊り下げ部３a、３aを左右連結（符号省略）させて、紐保持部４a,４aに吊り下げ荷重の過負荷による捩じり応力が発生し、吊り下げ部３a、３の折れ曲がりや折損の回避の補強に配慮がなされている。なお、当該フック式持ち手１の軽量化を図る為、握り部２と吊り下げ部３a、３aの部位をリブ補強を含めた、片面あるいは、両面側の肉盗み（図示省略）による成形品としても可能である。
【実施例５】
【００１２】
本発明は、上述の実施の形態に限定されず、フック式持ち手１の構成、及び、紐差込部５a、５aの先端部の形状、また、フック式持ち手１を並列に連結させる為の嵌合用凹凸の数量の増減、及び位置、形状等は、本発明の要旨を逸脱しない範囲で設計変更可能である。
【図面の簡単な説明】
【００１３】
【図１】本発明の実施の一形態を示す斜視図である。
【図２】本発明の使用状態を示す斜視図である。
【図３】本発明の要部拡大の一部破断面斜視図である。
【図４】本発明の他の実施の一形態を示す斜視図である。
【図５】本発明の他の実施の一形態を示す斜視図である。
【図６】本発明の他の実施の使用状態の説明を兼ねた斜視図である。
【図７】本発明の他の実施の使用状態の説明を兼ねた斜視図である。
【図８】本発明のさらに他の実施の一形態を示す斜視図である。
【図９】本発明のさらに他の実施の一形態を示すと共に使用状態の説明を兼ねた斜視図である。
【図１０】本発明のさらに他の実施の一形態を示すと共に分離状態の説明を兼ねた斜視図である。
【符号の説明】
【００１４】
１  フック式持ち手
２  握り部２
３  吊り下げ部
４  紐保持部
５  紐差込部
６  紐係止爪
７  嵌合用凹凸
【図１】
2005160900.tif 000003
【図２】
2005160900.tif 000004
【図３】
2005160900.tif 000005
【図４】
2005160900.tif 000006
【図５】
2005160900.tif 000007
【図６】
2005160900.tif 000008
【図７】
2005160900.tif 000009
【図８】
2005160900.tif 000010
【図９】
2005160900.tif 000011
【図１０】
2005160900.tif 000012